【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
カメラ・システム（３２８）によって、オブジェクト（３０６）の場所（３３２）において前記カメラ・システム（３２８）の視点（３３４）から前記オブジェクト（３０６）のビデオ・データ（３２４）を生成するステップと、
前記オブジェクト（３０６）について情報（３０４）を識別するステップと、
任意の数の場所（３５２）で任意の数の表示装置（３４０）を有する表示システム（３３０）に前記ビデオ・データ（３２４）中の画像（３２２）についての情報（３０４）を表示するステップであり、任意の数の場所（３５２）における前記ビデオ・データ中の画像（３２２）についての情報（３０４）を有する前記画像（３２２）の表示が、前記カメラ・システム（３２８）の視点（３３４）からであるステップと
を含む、情報（３０４）を表示するための方法。
【請求項２】
前記任意の数の場所（３５２）で任意の数の人（３５４）から、前記オブジェクト（３０６）について入力（３５６）を受信するステップをさらに含み、
前記カメラ・システム（３２８）が、前記オブジェクト（３０６）の場所（３５２）において人（３４２）によって装着され、
前記人（３４２）のプロファイル（４３８）を用いて前記オブジェクト（３０６）のところで前記人（３４２）によって装着される前記表示装置（３４０）に前記ビデオ・データ（３２４）中の画像（３２２）についての前記情報（３０４）を表示するステップをさらに含む、請求項１に記載の方法。
【請求項３】
前記人（３４２）について識別される前記プロファイル（４３８）に適用されるポリシー（４５０）に基づいて前記オブジェクト（３０６）について選択された情報（４３２）を識別するステップであって、前記カメラ・システム（３２８）と表示装置（３４０）がヘッドマウント・システム（３４４）の一部であるステップと、
前記ヘッドマウント・システム（３４４）の前記ビデオ・データ（３２４）の前記画像（３２２）についての前記選択された情報（４３２）を表示するステップと
をさらに含む、請求項２に記載の方法。
【請求項４】
前記ヘッドマウント・システム（３４４）の前記ビデオ・データ（３２４）の前記画像（３２２）による前記選択された情報（４３２）を表示するステップが、
暗号化された情報（４４０）を形成するように前記情報（３２０）を暗号化するステップと、
前記人（３４２）の一組のキー（４４２）を選択するステップであり、前記一組のキー（４４２）が、前記暗号化された情報（４４０）の前記オブジェクト（３０６）について前記選択された情報（４３２）を復号化するように構成されるステップと、
前記一組のキー（４４２）を用いて前記ビデオ・データ（３２４）中の前記画像（３２２）についての前記暗号化された情報（４４０）の前記選択された情報（４３２）を表示するステップと
を含む、請求項３に記載の方法。
【請求項５】
前記ビデオ・データ（３２４）の前記画像（３２２）が、前記オブジェクト（３０６）の部分（４４６）に対してであり、
前記オブジェクト（３０６）の前記部分（４４６）の前記画像（３２２）についての前記情報（４３２）を表示するステップに加えて、前記部分（４４６）を含む前記オブジェクト（３０６）のより大きな部分（４４６）を表示するステップと、
前記より大きな部分（４４６）にグラフィカル・インジケータ（８４０）を表示するステップであり、前記グラフィカル・インジケータ（８４０）が前記より大きな部分（４４６）内に前記部分（４４６）を識別するステップと
をさらに含む、請求項１に記載の方法。
【請求項６】
複数の画像の各画像（３２２）が第１の数の部分（４４６）を有し、前記情報（４２８）が第２の数の部分（４４６）を有し、前記表示するステップが、
前記カメラ・システム（３２８）の任意の数の表示装置（３５０）の表示装置（３４０）を用いて各人（３４２）のプロファイル（４３８）を識別するステップと、
前記各人（３４２）の識別された前記プロファイル（４３８）を用いることによって前記各人（３４２）の選択された情報（４３２）を識別するステップと、
前記各人（３４２）の前記識別されたプロファイル（４３８）を用いて前記各人（３４２）の複数の画像（３２２）の前記各画像（３２２）の選択された任意の数の部分（４４６）を識別するステップと、
暗号化された情報（４４０）を形成するように前記情報（３０４）を暗号化するステップと、
暗号化された画像（４４８）を形成するように前記画像（３２２）を暗号化するステップと、
前記各人（３４２）の一組のキー（４４２）を選択するステップであり、前記一組のキー（４４２）が、前記暗号化された情報（４４０）内の前記選択された情報（４３２）と、前記暗号化された画像（４４８）の前記各画像（４４８）の前記選択された任意の数の部分（４４６）とを復号化するように構成されるステップと、
前記一組のキー（４４２）を用いて前記各人（３４２）の前記表示装置（３４０）に前記画像（３２２）の選択された前記任意の数の部分（４４６）の前記選択された情報（４３２）を表示するステップであり、前記暗号化された情報（４４０）と前記暗号化された画像（４４８）のうちの前記一組のキー（４４２）を用いて暗号化されていない全ての部分（４４６）が、前記表示装置（３４０）に表示されないステップと
を含む、請求項１に記載の方法。
【請求項７】
オブジェクト（３０６）の場所においてカメラ・システム（３２８）から前記オブジェクト（３０６）のビデオ・データ（３２４）を受信し、前記オブジェクト（３０６）について情報（３２０）を識別し、前記ビデオ・データ（３２４）に前記情報（３２０）を追加し、任意の数の場所（３５２）において表示システム（３３０）に前記ビデオ・データ（３２４）に追加される前記情報（３２０）を有する前記ビデオ・データ（３２４）を送信するように構成されるコンピュータ・システム（３３６）を備え、
前記表示システム（３３０）上の前記ビデオ・データ（３２４）の表示が、前記カメラ・システム（３２８）の視点（３３４）から前記ビデオ・データ（３２４）中の前記画像（３２２）についての前記情報（３２０）を表示する、装置。
【請求項８】
前記カメラ・システム（３２８）と、
前記ビデオ・データ（３２４）中の前記画像（３２２）についての前記情報を表示するように構成される任意の数の表示装置（３５０）を備える前記表示システム（３３０）とを更に備え、
前記コンピュータ・システム（３３６）が、前記任意の数の場所（３５２）において任意の数の人（３５４）から前記オブジェクト（３０６）について入力（３５６）を受信するように構成され、かつ
前記カメラ・システム（３２８）が、前記オブジェクト（３０６）の前記場所（３３２）において人（３４２）によって装着され、
前記オブジェクト（３０６）のところで前記人（３４２）によって装着され、かつ前記オブジェクト（３０６）のところで前記人（３４２）によって装着される前記表示装置（３４０）に前記ビデオ・データ（３２４）中の前記画像（８２１）についての前記情報を表示するように構成される表示装置（３４０）を備える、請求項７に記載の装置。
【請求項９】
前記カメラ・システム（３２８）および前記表示装置（３４０）が、前記人（３４２）のヘッドマウント・システム（３１６）内にあり、
前記コンピュータ・システム（３３６）が、前記ヘッドマウント・システム（３１６）を装着する前記人（３４２）のプロファイル（４３８）を識別し、かつ選択された情報（４３２）が前記人（８２０）の前記ヘッドマウント・システム（３１６）の前記ビデオ・データ（３２４）中の前記画像（３２２）に表示されるように、ポリシー（４５０）に基づいて前記オブジェクト（３０６）について選択された前記情報（４３２）を識別するように構成される、請求項８に記載の装置。
【請求項１０】
前記選択された情報（４３２）が前記人（８２０）の前記ヘッドマウント・システム（３１６）の前記ビデオ・データ（３２４）中の前記画像（３２２）に表示されるように、前記ポリシー（４５０）に基づいて前記オブジェクト（３０６）について前記選択された情報（４３２）を識別するように構成される際に、前記コンピュータ・システム（３３６）は、前記選択された情報（４３２）が前記人（８２０）の前記ヘッドマウント・システム（３１６）の前記ビデオ・データ（３２４）中の前記画像（３２２）に表示されるように前記人（８２０）の前記プロファイル（４３８）を用いて、前記オブジェクト（３０６）について前記選択された情報（４３２）を識別するように構成される、請求項９に記載の装置。
【請求項１１】
前記コンピュータ・システム（３３６）が、暗号化された情報（４４０）を形成するように前記情報（４４０）を暗号化し、かつ前記人（３４２）の一組のキー（４４２）を選択するように構成され、
前記一組のキー（４４２）が、前記暗号化された情報（４４０）中の前記オブジェクト（３０６）について前記選択された情報（４３２）を復号化するように構成され、前記ビデオ・データ（３２４）中の前記画像（３２２）についての前記暗号化された情報（４４０）中の前記選択された情報（４３２）の表示が、前記一組のキー（４４２）を用いて行われる、請求項１０に記載の装置。
【請求項１２】
前記ビデオ・データ（３２４）中の前記画像（３２２）が、前記オブジェクト（３０６）の部分に対してであり、前記任意の数の表示装置（３５０）が、前記オブジェクト（３０６）の前記部分の前記ビデオ・データ（８２４）中の前記画像（８２１）についての前記情報を表示するように構成されるのに加えて、前記部分を含む前記オブジェクト（３０６）のより大きな部分を表示し、かつ前記より大きな部分にグラフィカル・インジケータ（８４０）を表示するように構成され、前記グラフィカル・インジケータ（８４０）が、前記より大きな部分内に前記部分を識別する、請求項８に記載の装置。
【手続補正２】
【補正対象書類名】明細書
【補正対象項目名】０１６８
【補正方法】変更
【補正の内容】
【０１６８】
異なる有利な実施形態の記述は、説明および記述の目的のために与えられており、開示された形態の実施形態に網羅的でありまたは限定されることが意図されるものではない。多くの改変および変形が、当業者には明らかであろう。さらに、異なる有利な実施形態は、他の有利な実施形態に比べて異なる利点を提供することができる。選択された実施形態または複数の実施形態は、実施形態の原理、実際の用途を最もよく説明し、かつ当業者以外の人が、考えられる特定の使用に適するようにさまざまな改変を有するさまざまな実施形態の開示を理解できるようにするために、選択され記述されている。
また、本願は以下に記載する態様を含む。
（態様１）
カメラ・システムによって、オブジェクトの場所において前記カメラ・システムの視点から前記オブジェクトのビデオ・データを生成するステップと、
前記オブジェクトについて情報を識別するステップと、
任意の数の場所で任意の数の表示装置を有する表示システムに前記ビデオ・データの画像による情報を表示するステップであり、任意の数の場所における前記ビデオ・データの画像による情報を有する前記画像の表示が、前記カメラ・システムの視点からであるステップと
を含む、情報を表示するための方法。
（態様２）
任意の数の場所で任意の数の人から、前記オブジェクトについて入力を受信するステップをさらに含む、態様１に記載の方法。
（態様３）
前記カメラ・システムが、前記オブジェクトの場所において人によって装着され、
前記人のプロファイルを用いて前記オブジェクトのところで前記人によって装着される前記表示装置に前記ビデオ・データの画像による前記情報を表示するステップをさらに含む、態様１に記載の方法。
（態様４）
前記カメラ・システムおよび前記表示装置が、ヘッドマウント・システムの一部である、態様３に記載の方法。
（態様５）
前記人について識別される前記プロファイルに適用されるポリシーに基づいて前記オブジェクトについて選択された情報を識別するステップと、
前記ヘッドマウント・システムの前記ビデオ・データの前記画像による前記選択された情報を表示するステップと
をさらに含む、態様４に記載の方法。
（態様６）
前記人の前記プロファイルが、前記人の言語、前記人の業務、および前記人のセキュリティ・レベルのうちの少なくとも１つを識別する、態様５に記載の方法。
（態様７）
前記ヘッドマウント・システムの前記ビデオ・データの前記画像による前記選択された情報を表示するステップが、
暗号化された情報を形成するように前記情報を暗号化するステップと、
前記人の一組のキーを選択するステップであり、一組のキーが、前記暗号化された情報の前記オブジェクトについて前記選択された情報を復号化するように構成されるステップと、
前記一組のキーを用いて前記ビデオ・データの前記画像による前記暗号化された情報の前記選択された情報を表示するステップと
を含む、態様５に記載の方法。
（態様８）
前記ビデオ・データの前記画像が、前記オブジェクトの部分に対してであり、
前記オブジェクトの前記部分の前記画像による前記情報を表示するステップに加えて、前記部分を含む前記オブジェクトのより大きな部分を表示するステップと、
前記より大きな部分にグラフィカル・インジケータを表示するステップであり、前記グラフィカル・インジケータが前記より大きな部分内に前記部分を識別するステップと
をさらに含む、態様１に記載の方法。
（態様９）
複数の画像の各画像が第１の数の部分を有し、前記情報が第２の数の部分を有し、前記表示するステップが、
前記カメラ・システムの任意の数の表示装置の表示装置を用いて各人のプロファイルを識別するステップと、
前記各人の識別された前記プロファイルを用いることによって前記各人の選択された情報を識別するステップと、
前記各人の前記識別されたプロファイルを用いて前記各人の複数の画像の前記各画像の選択された任意の数の部分を識別するステップと、
暗号化された情報を形成するように前記情報を暗号化するステップと、
暗号化された画像を形成するように前記画像を暗号化するステップと、
前記各人の一組のキーを選択するステップであり、前記一組のキーが、前記暗号化された情報内の前記選択された情報と、前記暗号化された画像の前記各画像の前記選択された任意の数の部分とを復号化するように構成されるステップと、
前記一組のキーを用いて前記各人の前記表示装置に前記画像の選択された前記任意の数の部分の前記選択された情報を表示するステップであり、前記暗号化された情報と前記暗号化された画像のうちの前記一組のキーを用いて暗号化されていない全ての部分が、前記表示装置に表示されないステップと
を含む、態様１に記載の方法。
（態様１０）
航空機の保守を行うための拡張現実感情報システムであって、
カメラ・システムおよび表示装置を有するヘッドマウント・システムであり、ある場所においてオブジェクトのビデオ・データを生成するように構成される前記ヘッドマウント・システムと、
任意の数の場所における任意の数の表示装置と、
前記ヘッドマウント・システムの前記カメラ・システムから前記オブジェクトの前記ビデオ・データを受信し、前記オブジェクトについて情報を識別し、前記ビデオ・データに前記情報を追加し、前記任意の数の表示装置のそれぞれを用いて人のプロファイルに基づいて前記任意の数の表示装置のそれぞれに対して選択された情報を識別し、かつ前記任意の数の表示装置に前記情報を有する前記ビデオ・データを送信するように構成される情報モジュールであり、
前記任意の数の表示装置上の前記ビデオ・データの表示が、前記任意の数の表示装置のそれぞれの前記画像による前記選択された情報を表示する情報モジュールと
を備える、拡張現実感情報システム。
（態様１１）
情報モジュールが、暗号化された情報を形成するように前記情報を暗号化し、かつ前記任意の数の表示装置のそれぞれにおいて人の一組のキーを選択するように構成され、
前記一組のキーが、前記暗号化された情報の前記オブジェクトについて前記選択された情報を復号化するように構成され、前記ビデオ・データの前記画像による前記暗号化された情報の前記選択された情報の表示が、前記一組のキーを用いて行われる、態様１０に記載の拡張現実感情報システム。
（態様１２）
前記ビデオ・データの画像が、前記オブジェクトの部分に対してであり、前記任意の数の表示装置が、前記部分を含む前記オブジェクトのより大きな部分を表示し、かつ前記オブジェクトの前記部分の前記ビデオ・データの前記画像による前記情報を表示するように構成されることに加えて、より大きな部分にグラフィカル・インジケータを表示するように構成され、
前記グラフィカル・インジケータが、前記より大きな部分内の前記部分を識別する
態様１０に記載の拡張現実感情報システム。
（態様１３）
オブジェクトの場所においてカメラ・システムから前記オブジェクトのビデオ・データを受信し、前記オブジェクトについて情報を識別し、前記ビデオ・データに前記情報を追加し、任意の数の場所において表示システムに前記ビデオ・データに追加される前記情報を有する前記ビデオ・データを送信するように構成されるコンピュータ・システムを備え、
前記表示システム上の前記ビデオ・データの表示が、前記カメラ・システムの視点から前記ビデオ・データの前記画像による前記情報を表示する、装置。
（態様１４）
前記カメラ・システムと、
前記ビデオ・データの前記画像による前記情報を表示するように構成される任意の数の表示装置を備える前記表示システムと
をさらに備える、態様１３に記載の装置。
（態様１５）
前記コンピュータ・システムが、前記任意の数の場所において任意の数の人から前記オブジェクトについて入力を受信するように構成される、態様１３に記載の装置。
（態様１６）
前記カメラ・システムが、前記オブジェクトの前記場所において人によって装着され、
前記オブジェクトのところで前記人によって装着され、かつ前記オブジェクトのところで前記人によって装着される前記表示装置に前記ビデオ・データの前記画像による前記情報を表示するように構成される表示装置を備える、態様１４に記載の装置。
（態様１７）
前記カメラ・システムおよび前記表示装置が、前記人のヘッドマウント・システム内にある、態様１６に記載の装置。
（態様１８）
前記コンピュータ・システムが、前記ヘッドマウント・システムを装着する前記人のプロファイルを識別し、かつ前記選択された情報が前記人の前記ヘッドマウント・システムの前記ビデオ・データの前記画像に表示されるようなポリシーに基づいて前記オブジェクトについて選択された情報を識別するように構成される、態様１７に記載の装置。
（態様１９）
前記選択された情報が前記人の前記ヘッドマウント・システムの前記ビデオ・データの前記画像に表示されるような前記ポリシーに基づいて前記オブジェクトについて前記選択された情報を識別するように構成される際に、前記コンピュータ・システムは、前記選択された情報が前記人の前記ヘッドマウント・システムの前記ビデオ・データの前記画像に表示されるように前記人の前記プロファイルを用いて、前記オブジェクトについて前記選択された情報を識別するように構成される、態様１８に記載の装置。
（態様２０）
前記人の前記プロファイルが、前記人の言語、前記人の業務、および前記人のセキュリティ・レベルのうちの少なくとも１つを識別する、態様１８に記載の装置。
（態様２１）
前記コンピュータ・システムが、暗号化された情報を形成するように前記情報を暗号化し、かつ前記人の一組のキーを選択するように構成され、
前記一組のキーが、前記暗号化された情報の前記オブジェクトについて前記選択された情報を復号化するように構成され、前記ビデオ・データの前記画像による前記暗号化された情報の前記選択された情報の表示が、前記一組のキーを用いて行われる、態様１９に記載の装置。
（態様２２）
前記ビデオ・データの前記画像が、前記オブジェクトの部分に対してであり、前記任意の数の表示装置が、前記オブジェクトの前記部分の前記ビデオ・データの前記画像による前記情報を表示するように構成されるのに加えて、前記部分を含む前記オブジェクトのより大きな部分を表示し、かつ前記より大きな部分にグラフィカル・インジケータを表示するように構成され、前記グラフィカル・インジケータが、前記より大きな部分内に前記部分を識別する、態様１４に記載の装置。
（態様２３）
オブジェクトのビデオ・データを生成するように構成されるカメラ・システムであり、前記ビデオ・データが複数の画像を含み、前記複数の画像の各画像が第１の数の部分を有するカメラ・システムと、
任意の数の表示装置を備える表示システムと、
前記オブジェクトの場所において前記カメラ・システムから前記オブジェクトの前記ビデオ・データを受信し、前記オブジェクトについて情報を識別し、前記ビデオ・データに前記情報を追加し、前記表示システムの前記任意の数の表示装置の表示装置を用いて前記各人の前記プロファイルを識別し、前記各人の識別された前記プロファイルを用いて前記各人の前記情報の選択された情報を識別し、前記各人の識別された前記プロファイルを用いて前記各人の前記ビデオ・データの前記複数の画像の前記各画像の選択された任意の数の部分を識別し、暗号化された情報を形成するように前記情報を暗号化し、暗号化された画像を形成するように前記画像を暗号化し、かつ前記各人の一組のキーを選択するように構成されるコンピュータ・システムであって、前記一組のキーが、前記暗号化された情報内の前記選択された情報と、前記暗号化された画像の前記各画像の前記選択された任意の数の部分とを復号化し、かつ前記暗号化された情報および前記暗号化された画像を表示システムに送信するように構成される前記コンピュータ・システムとを備え、
前記表示システムは、前記暗号化された情報と前記暗号化された画像のうちの前記一組のキーを用いて暗号化されていない全ての部分が前記各人の前記表示装置に表示されないように、前記各人の前記一組のキーを用いて前記各人の前記表示装置に前記各画像の前記選択された任意の数の部分の前記選択された情報を表示するように構成される装置。